(57)【要約】【課題】コーヒー等の飲料を抽出する時に、いろいろな形状や大きさの開口部を有する容器に装着でき、安定して抽出できる飲料抽出用バッグを提供することにある。【解決手段】紙製の扇状のブランクスからなり、上部に広い開口部を有し、下部に狭い開口部を有する中空紙管状のホルダー部と、円形状のフィルター材からなり、ホルダー部の下部の狭い開口部を覆うフィルター部と、からなる飲料抽出用バッグであって、下部の狭い開口部の下端の折り部により内側に折り曲げられている折り返し部が設けられており、前記ブランクスに折り罫線が複数本形成されており、この複数本の折り罫線のいずれか１本を折り部としており、前記フィルター部の周縁が折り返し部に沿って折り曲げられ、折り返し部の内面に接着されており、前記折り返し部の長さを変えることができる。【選択図】図１
2007068611.tif 000002
【特許請求の範囲】
【請求項１】
紙製の扇状のブランクスからなり、上部に広い開口部を有し、下部に狭い開口部を有する中空紙管状のホルダー部と、
円形状のフィルター材からなり、ホルダー部の下部の狭い開口部を覆うフィルター部と、
からなる飲料抽出用バッグであって、下部の狭い開口部の下端の折り部により内側に折り曲げられている折り返し部が設けられていることを特徴とする飲料抽出用バッグ。
【請求項２】
前記ブランクスに折り罫線が複数本形成されており、この複数本の折り罫線のいずれか１本を折り部とすることを特徴とする請求項１記載の飲料抽出用バッグ。
【請求項３】
前記フィルター部の周縁が折り返し部に沿って折り曲げられ、折り返し部の内面に接着されていることを特徴とする請求項１又は請求項２記載の飲料抽出用バッグ。
【請求項４】
前記折り返し部の長さを変えることができることを特徴とする請求項１乃至請求項３のいずれか１項記載の飲料抽出用バッグ。
【発明の詳細な説明】
【技術分野】
【０００１】
本発明はコーヒー等の飲料を抽出する為の抽出用バッグに関するものである。
【背景技術】
【０００２】
コーヒー等の飲料の入れ方の主なものとしてドリップ式がある。ドリップ式は濾紙や不織布フィルターなどからなる袋にコーヒー粉などの抽出原料を入れ、熱湯を注ぎ、４〜５分程度で浸出液をこし取る方法である。袋としては各種の形態のものが提案されており、カップ状の容器上に安定して支持できるホルダーを有し、抽出効果が高い飲料抽出用バッグが提案されている（例えば、特許文献１、特許文献２参照。）
【特許文献１】特開平９−２８６４５７号公報
【特許文献２】特開２００１−２５８７４３号公報
【発明の開示】
【発明が解決しようとする課題】
【０００３】
しかしながら、前記提案されている飲料抽出用バッグは、いずれもカップ状の容器上にのせたり、被せたりして使用しているので、安定して使用することができず、さらに、飲料抽出用バッグの形状、大きさが決まっているので、上記容器の形状や大きさが異なる容器には使用できない。また、安定して使用することができないので、老人や子供などが安全に使用することができなかった。
【０００４】
本発明の課題は、コーヒー等の飲料を抽出する時に、いろいろな形状や大きさの開口部を有する容器に装着でき、安定して抽出できる飲料抽出用バッグを提供することにある。
【課題を解決するための手段】
【０００５】
本発明の請求項１に係る発明は、紙製の扇状のブランクスからなり、上部に広い開口部を有し、下部に狭い開口部を有する中空紙管状のホルダー部と、
円形状のフィルター材からなり、ホルダー部の下部の狭い開口部を覆うフィルター部と、
からなる飲料抽出用バッグであって、下部の狭い開口部の下端の折り部により内側に折り曲げられている折り返し部が設けられていることを特徴とする飲料抽出用バッグである。
【０００６】
本発明の請求項２に係る発明は、上記請求項１に係る発明において、前記ブランクスに折り罫線が複数本形成されており、この複数本の折り罫線のいずれか１本を折り部とすることを特徴とする飲料抽出用バッグである。
【０００７】
本発明の請求項３に係る発明は、上記請求項１又は請求項２に係る発明において、前記フィルター部の周縁が折り返し部に沿って折り曲げられ、折り返し部の内面に接着されていることを特徴とする飲料抽出用バッグである。
【０００８】
本発明の請求項４に係る発明は、上記請求項１乃至請求項３のいずれか１項に係る発明において、前記折り返し部の長さを変えることができることを特徴とする飲料抽出用バッグである。
【発明の効果】
【０００９】
本発明の飲料抽出用バッグは、紙製の扇状のブランクスからなり、上部に広い開口部を
有し、下部に狭い開口部を有する中空紙管状のホルダー部と、
円形状のフィルター材からなり、ホルダー部の下部の狭い開口部を覆うフィルター部と、
からなる飲料抽出用バッグであって、下部の狭い開口部の下端の折り部により内側に折り曲げられている折り返し部が設けられており、前記ブランクスに折り罫線が複数本形成されており、この複数本の折り罫線のいずれか１本を折り部としており、前記フィルター部の周縁が折り返し部に沿って折り曲げられ、折り返し部の内面に接着されており、前記折り返し部の長さを変えることができるので、使用する時に折り返し部を元の状態に戻し、本体部と直線状になるようにすることで、その内容積が大きくなって多くの抽出液が得られ、さらに、ろいろな形状や大きさの開口部を有する容器に装着でき、安定して抽出できるので老人や子供でも簡単に使用できる。
【発明を実施するための最良の形態】
【００１０】
本発明の飲料抽出用バッグを実施の形態に沿って以下に説明する。図２（ａ）は本発明の飲料抽出用バッグのホルダー部に使用するブランクスの一実施形態を示す平面図であり、ブランクス（１０）は扇形状ものからなり、二本の折り罫線（ｘ、ｙ）を有しており、（ｂ）は本発明の飲料抽出用バッグのフィルター部に使用するフィルター材の一実施形態を示す平面図であり、フィルター材（２０）は円形状のものからなっている。
【００１１】
前記ブランクス（１０）は、坪量１５０〜３５０ｇ／ｍ2の板紙からなっている。
【００１２】
前記フィルター材（２０）には、濾紙や高分子樹脂系不織布が使用でき、ホルダー部（２）の折り返し部（２ｂ）の内面に加熱、加圧して接着できる高分子樹脂系不織布が好ましい。
【００１３】
図１（ａ）は本発明の飲料抽出用バッグの一実施形態を示す断面図であり、飲料抽出用バッグ（１）は、ホルダー部（２）及びフィルター部（３）を有しており、ホルダー部（２）は前記ブランクス（１０）を用いて紙管状に成形し、折り罫線（ｘ）からなる折り部を介して本体部（２ａ）と折り返し部（２ｂ）を設けたものからなっており、（ｂ）は飲料抽出用バッグの他の実施形態を示す断面図であり、飲料抽出用バッグ（１′）は、ホルダー部（２）及びフィルター部（３）を有しており、ホルダー部（２）は前記ブランクス（１０）を用いて紙管状に成形し、折り罫線（ｙ）からなる折り部を介して本体部（２ａ）と折り返し部（２ｂ）を設けたものからなっており、フィルター部（３）は、前記円形状のフィルター材（２０）からなっており、円形状の周縁が折り曲げられて、折り返し部（２ｂ）の内面に接着されており、本体部（２ａ）には接着されていない。
【００１４】
上記記載の如く、フィルター部（３）の周縁が折り曲げられて、ホルダー部（２）の折り返し部（２ｂ）の内面のみに接着されており、本体部（２ａ）には接着されていないので、抽出時に折り返し部（２ｂ）を簡単に本体部（２ａ）と直線状になるようにすることができ、抽出用の内容積を大きくして使用することができる。
【００１５】
飲料抽出用バッグ（１）の場合は、図１（ａ）に示す如く、ブランクス（１０）の折り罫線（ｘ）を折り部としており、折り返し部（２ｂ）が長くなっており、飲料抽出用バッグ（１′）の場合は、図１（ｂ）に示す如く、ブランクス（１０）の折り罫線（ｙ）を折り部としており、折り返し部（２ｂ）が短くなっている。前述の如く、折り返し部（２ｂ）の長さを変えることができるので、抽出用の内容積を大きくできるだけでなく、適宜変えることもできる。
【００１６】
図３は本発明の飲料抽出用バッグの使用状態の一例を説明する為の概要図であり、飲料抽出用バッグ（１）の折り返し部（２ｂ）が本体部（２ａ）と直線状になるようにして使
用されている。この時、フィルター部（３）は下端に位置する状態になる。前記状態にした飲料抽出用バッグ（１）をフィルター部（３）側を下にしてカップ形状の容器（３０）に挿入する。その後、上部の開口部（４）からコーヒー等の抽出原料（３１）を入れ、その上から、例えば熱湯（３２）を注いで抽出する。
【００１７】
本発明の飲料抽出用バッグは、上記に記載した通り、ホルダー部（２）の折り返し部（２ｂ）を抽出時に本体部（２ａ）と直線状になるようにすることにより、上端に広い開口部（４）を有し、下方に向かって狭くなり、下端にフィルター部（３）を有しているので、抽出用の内容積を大きくでき、また、いろいろな形状や大きさの開口部を有する容器に装着でき、安定した抽出が可能になる特徴を有している。
【図面の簡単な説明】
【００１８】
【図１】（ａ）は本発明の飲料抽出用バッグの一実施形態を示す断面図であり、（ｂ）は飲料抽出用バッグの他の実施形態を示す断面図である。
【図２】（ａ）は本発明の飲料抽出用バッグのホルダー部に使用するブランクスの一実施形態を示す平面図であり、（ｂ）は本発明の飲料抽出用バッグのフィルター部に使用するフィルター材の一実施形態を示す平面図である。
【図３】本発明の飲料抽出用バッグの使用状態の一例を説明する為の概要図である。
【符号の説明】
【００１９】
１，１′…飲料抽出用バッグ
２…ホルダー部
２ａ…本体部
２ｂ…折り返し部
３…フィルター部
４，５…開口部
１０…ブランクス
２０…フィルター材
３０…容器
３１…抽出原料
３２…熱湯
ｘ，ｙ…折り罫線
【図１】
2007068611.tif 000003
【図２】
2007068611.tif 000004
【図３】
2007068611.tif 000005